(57)【要約】【課題】容易に、他の携帯端末装置と連携することができる携帯端末装置を提供する。【解決手段】他装置との接触を検出する接触検出部と、前記接触検出部が他装置との接触を検出した場合、前記他装置に、前記他装置と接触したことを示す接触識別情報及び自装置の端末識別情報を送信する送信部と、前記他装置から、前記他装置の端末識別情報、前記他装置の端末情報、前記接触識別情報を受信する受信部と、前記受信部が受信した前記端末情報に基づいて、前記他装置の表示部で表示する画像の画像信号を生成する画像信号生成部と、前記他装置に、前記画像生成部が生成した前記画像信号を送信する画像信号送信部と、を備える携帯端末装置とした。【選択図】図２
2010085853.tif 000002
【特許請求の範囲】
【請求項１】
他装置との接触を検出する接触検出部と、
前記接触検出部が他装置との接触を検出した場合、前記他装置に、前記他装置と接触したことを示す接触識別情報及び自装置の端末識別情報を送信する送信部と、
前記他装置から、前記他装置の端末識別情報、前記他装置の端末情報、前記接触識別情報を受信する受信部と、
前記受信部が受信した前記端末情報に基づいて、前記他装置の表示部で表示する画像の画像信号を生成する画像信号生成部と、
前記他装置に、前記画像生成部が生成した前記画像信号を送信する画像信号送信部と、を備える携帯端末装置。
【請求項２】
他装置との接触を検出する接触検出部と、
前記他装置から、前記他装置と接触したことを示す接触識別情報及び前記他装置の端末識別情報を受信する受信部と、
前記他装置に、自装置の端末識別情報、自装置の端末情報及び前記接触識別情報を送信する送信部と、
前記他装置から、画像信号を受信する画像信号受信部と、
前記画像信号受信部が受信した画像信号に基づいて、画像を表示する表示部と、
を備える携帯端末装置。
【発明の詳細な説明】
【技術分野】
【０００１】
本件は、他の装置と連携する、携帯端末装置に関する。
【背景技術】
【０００２】
近年、多くの人が、ノートパソコンや携帯電話等の携帯端末装置を、所有するようになっている。また、一人が、複数の携帯端末装置を所有して、それらを携帯していることがある。これらの携帯端末装置は、それぞれ、単体で使用されることが多い。
【特許文献１】特開２００２−２３８０８０号公報
【発明の開示】
【発明が解決しようとする課題】
【０００３】
複数の携帯端末装置を連携して使用することが求められることがある。しかし、従来、携帯端末装置は単体で使用することを前提とされていることが多いため、複数の携帯端末装置を連携して使用することは困難であった。
【０００４】
本件は、容易に、他の携帯端末装置と連携することができる携帯端末装置を提供することを課題とする。
【課題を解決するための手段】
【０００５】
上記課題を解決するために、以下の手段を採用する。
【０００６】
即ち、第１の態様には、
他装置との接触を検出する接触検出部と、
前記接触検出部が他装置との接触を検出した場合、前記他装置に、前記他装置と接触したことを示す接触識別情報及び自装置の端末識別情報を送信する送信部と、
前記他装置から、前記他装置の端末識別情報、前記他装置の端末情報、前記接触識別情報を受信する受信部と、
前記受信部が受信した前記端末情報に基づいて、前記他装置の表示部で表示する画像の画像信号を生成する画像信号生成部と、
前記他装置に、前記画像生成部が生成した前記画像信号を送信する画像信号送信部と、を備える携帯端末装置を用いた。
【０００７】
第２の態様には、
他装置との接触を検出する接触検出部と、
前記他装置から、前記他装置と接触したことを示す接触識別情報及び前記他装置の端末識別情報を受信する受信部と、
前記他装置に、自装置の端末識別情報、自装置の端末情報及び前記接触識別情報を送信する送信部と、
前記他装置から、画像信号を受信する画像信号受信部と、
前記画像信号受信部が受信した画像信号に基づいて、画像を表示する表示部と、
を備える携帯端末装置を用いた。
【発明の効果】
【０００８】
開示の実施形態によれば、容易に、他の携帯端末装置と連携することができる携帯端末装置を提供することができる。
【発明を実施するための最良の形態】
【０００９】
以下、図面を参照して実施形態について説明する。実施形態の構成は例示であり、開示の実施形態の構成に限定されない。
【００１０】
〔実施形態１〕
（構成例）
ここでは、携帯端末の例を説明するが、ここに記載される構成と同様の構成を固定端末に適用することも可能である。
【００１１】
〈システム構成例〉
図１は、本実施形態のシステム構成例を示す図である。
【００１２】
図１に示すように、本実施形態のシステムは、ネットワーク１００、無線基地局３００、携帯端末４００−１、携帯端末４００−２を含む。本実施形態のシステムは、さらに多くの携帯端末４００−ｎ（ｎは自然数）を含みうる。各携帯端末は、携帯端末４００とも表記する。
【００１３】
無線基地局３００は、携帯端末４００とネットワーク１００との通信を中継する。無線基地局３００は、携帯端末同士の通信を中継することができる。
【００１４】
携帯端末４００は、無線基地局３００を経由して、ネットワーク１００と通信する。携帯端末４００は、他の携帯端末と直接通信し得る。携帯端末４００は、無線基地局３００と通信する機能を有しなくてもよい。
【００１５】
〈携帯端末の構成例〉
図２は、携帯端末の構成例を示す図である。
【００１６】
携帯端末の具体例として、携帯電話、携帯情報端末（ＰＤＡ、Personal Digital Assistant）、ノート型パソコンなどが挙げられる。
【００１７】
携帯端末４００は、ＣＰＵ（Central Processing Unit）４０２、記憶部４０４、送受
信部４０６、アンテナ４０８、接触検出部４１０、表示信号生成部４１２、表示信号切替部４１４、表示制御部４１６、表示部４１８、表示信号送受信部４２０、アンテナ４２２を有する。
【００１８】
これらの処理部のうち、任意の複数を、１つの処理部としてもよい。また、これらの処理部のうち任意の１つが、複数の処理部としての処理を行ってもよい。これらの各処理部は、ハードウェアとしても、ソフトウェアとしても実現され得る。以後に記載される構成要素についても同様である。
【００１９】
ＣＰＵ４０２は、各種プログラムを実行する中央処理装置である。ＣＰＵ４０２は、携帯端末４００内の各処理部を制御し、また、必要な演算を行う。
【００２０】
記憶部４０４は、携帯端末４００で実行されるプログラム、プログラムで使用するテーブル等、各種データが格納される。記憶部４０４は、ハードディスクドライブ（ＨＤＤ、Hard Disk Drive）であっても、ＲＯＭ（Read Only Memory）等のメモリであってもよい
。
【００２１】
送受信部４０６は、無線基地局３００、他の携帯端末等との間で、信号の送受信をする。
【００２２】
アンテナ４０８は、他の装置に信号を送信し、他の装置から信号を受信する。
【００２３】
接触検出部４１０は、他の携帯端末との接触を検出する。携帯端末４００は、接触検出部４１０から接触する他の携帯端末と固有の接触ＩＤを交換することができる。接触ＩＤは、携帯端末４００の端末ＩＤを含み得る。
【００２４】
携帯端末４００は、側面に、接触検出部４１０としてマグネットを備えることができる。携帯端末４００は、マグネットを使用することで、他の携帯端末と接触させることができる。また、携帯端末４００は、マグネットを使用することで、他の携帯端末との接触状態を安定して維持することができる。携帯端末４００は、接触検出部４１０のマグネットに微弱電流を流すことにより、他の端末との接触を検出することができる。
【００２５】
接触検出部４１０は、静電センサを使用して、他の携帯端末との接触を検出することが可能である。
【００２６】
表示信号生成部４１２は、携帯端末４００が携帯端末４００の機能として表示する画面の表示信号を生成する。表示信号生成部４１２は、他の携帯端末の表示部に表示させる画面の表示信号を生成することができる。
【００２７】
表示信号切替部４１４は、表示部４１８に表示させる画面の表示信号を切り替える。表示信号切替部４１４は、表示信号生成部４１２が生成した表示信号及び表示信号送受信部４２０が受信した他の携帯端末が生成した表示信号のうち一方を選択し、表示制御部４１６に送信する。
【００２８】
表示制御部４１６は、表示信号切替部４１４から表示信号を受信し、表示部４１８に送信する。
【００２９】
表示部４１８は、表示信号制御部４１６から受信した表示信号を基に画面表示を行う。表示部４１８の例として、液晶ディスプレイ、有機ＥＬディスプレイ等が挙げられる。また、表示部４１８は、フレームのない表示デバイスとすることができる。複数の携帯端末のフレームのない表示デバイスを接触させて使用することで、実質的に１つの表示部を使用しているかの如く、画面表示を行うことができる。
【００３０】
表示信号送受信部４２０は、アンテナ４２２で受信した他の携帯端末が生成した表示信号を表示信号切替部４１４に送信する。また、表示信号送受信部４２０は、表示信号生成部４１２が生成した他の携帯端末で表示させる画面の表示信号を、アンテナ４２２を経由して当該他の携帯端末に送信する。
【００３１】
アンテナ４２２は、他の携帯端末に表示信号を送信し、他の携帯端末から表示信号を受信する。
【００３２】
送受信部４０６及びアンテナ４０８が、それぞれ、表示信号送受信部４２０及びアンテナ４２２の機能を含んでもよい。
【００３３】
携帯端末４００が他の携帯端末と通信する際の通信方式の例として、ブルートゥース（Bluetooth）方式、無線ＬＡＮ（Wireless Local Area Network）方式、赤外線通信（ＩｒＤＡ、Infrared Data Association）方式などが、挙げられる。また、携帯端末４００は
、接触検出部４１０を経由して、直接、他の携帯端末と通信を行ってもよい。
【００３４】
図３は、携帯端末における接触検出部の構成例を示す図である。図３の携帯端末４００
は、表示部４１８の各側面に１つ以上の接触検出部４１０を有する。図３の携帯端末４００の上面は、表示部４１８である。
【００３５】
図３の携帯端末４００の１つの接触検出部４１０は、１組のマグネット（Ｓ極マグネット４１０Ｓ及びＮ極マグネット４１０Ｎ）を含む。
【００３６】
図４は、携帯端末の接触検出部におけるマグネットの配置の例を示す図である。図４は、携帯端末４００を上面から見た例である。接触検出部４１０の各マグネット（Ｓ極マグネット４１０Ｓ及びＮ極マグネット４１０Ｎ）は、携帯端末４００の表示部４１８の側面で、表面に接している。
【００３７】
携帯端末４００の表示部４１８の左側の側面に、接触検出部４１０のＮ極マグネット４１０Ｎ、Ｓ極マグネット４１０Ｓの順に、各マグネットが配置される。一方、携帯端末４００の表示部４１８の右側の側面に、接触検出部４１０のＳ極マグネット４１０Ｓ、Ｎ極マグネット４１０Ｎの順に、各マグネットが配置される。
【００３８】
また、携帯端末４００の表示部４１８の上側の側面に、接触検出部４１０のＳ極マグネット４１０Ｓ、Ｎ極マグネット４１０Ｎの順に、各マグネットが配置される。一方、携帯端末４００の表示部４１８の下側の側面に、接触検出部４１０のＮ極マグネット４１０Ｎ、Ｓ極マグネット４１０Ｓの順に、各マグネットが配置される。
【００３９】
接触検出部４１０は、携帯端末４００の表示部４１８の側面に等間隔に配置される。
【００４０】
このように各マグネットを配置することで、携帯端末４００を表示部４１８の存在する平面上で時計回りに９０度、１８０度、または、２７０度回転させた状態でも、他の携帯端末と接触させることができる。
【００４１】
図３の携帯端末４００と大きさの異なる携帯端末であっても、同様に接触検出部４１０を配置することができる。
【００４２】
図５は、複数の携帯端末が接触した例を示す図である。
【００４３】
各携帯端末の表示部の各側面には、等間隔に接触検出部４１０が配置される。携帯端末４００の接触検出部４１０は、Ｓ極マグネット４１０Ｓ及びＮ極マグネット４１０Ｎを含む。
【００４４】
携帯端末４００−１は、携帯端末４００−２と接触している。携帯端末４００−１の表示部４１８の右側側面と携帯端末４００−２の表示部４１８の左側側面とが、それぞれの接触検出部４１０のマグネットにより接触している。
【００４５】
また、携帯端末４００−１は、携帯端末４００−３と接触している。携帯端末４００−１の表示部４１８の上側側面と携帯端末４００−３の表示部４１８の右側側面とが、それぞれの接触検出部４１０のマグネットにより接触している。携帯端末４００−３は、表示部４１８の存在する平面上で時計回りに９０度回転した状態で、携帯端末４００−１と接触している。
【００４６】
各携帯端末は、マグネット（Ｓ極マグネット４１０Ｓ及びＮ極マグネット４１０Ｎ）により他の携帯端末との接触状態を安定して維持することができる。
【００４７】
なお、本実施形態の機能を実現可能であれば、接触検出部４１０は公知の他種類のセン
サであってもよい。
【００４８】
（動作例１）
動作例１について説明する。
【００４９】
ここでは、携帯端末４００−１と携帯端末４００−２とを接触させる場合について説明する。携帯端末４００−１はマスターとして、携帯端末４００−２はスレーブとして、あらかじめ設定されているとする。各携帯端末は、マスターとしても、スレーブとしても、任意に設定され得る。
【００５０】
ここで、マスターとして設定されている携帯端末は、スレーブとして設定されている他の携帯端末が自装置と接触した場合に、当該他の携帯端末の表示部を自装置の表示部として使用する。また、スレーブとして設定されている携帯端末は、マスターとして設定されている他の携帯端末が自装置と接触した場合に、自装置の表示部を、当該他の携帯端末の表示部として使用される。
【００５１】
〈動作シーケンス例〉
図６は、動作例１の動作シーケンス例を示す図である。
【００５２】
図７は、携帯端末（マスター）と携帯端末（スレーブ）の接触の例を示す図である。ここでは、図７のように、携帯端末４００−１の表示部４１８の右側側面と、携帯端末４００−２の表示部４１８の左側側面とが、接触するとする。携帯端末４００−１の表示部４１８、及び、携帯端末４００−２の表示部４１８は、一連の表示部を形成する。
【００５３】
携帯端末４００−１と携帯端末４００−２とが接触すると（図６：ＳＱ１００２）、それぞれの携帯端末は、他の携帯端末と接触したことを検出する（ＳＱ１００４、ＳＱ１００６）。接触状態の検出は、例えば、接触検出部４１８のＳ極マグネット４１０ＳとＮ極マグネット４１０Ｎとの間に微弱電流を常時又は定期的に流すことにより可能である。電流が流れた場合（Ｓ極マグネット４１０ＳとＮ極マグネット４１０Ｎとの間の抵抗値が無限大でなくなった場合）、携帯端末は他の携帯端末と接触状態であると判断できる。
【００５４】
携帯端末４００−１は、接触した携帯端末４００−２に、接触ＩＤ及び自装置の端末ＩＤを送信する（ＳＱ１００８）。携帯端末４００−１は、接触ＩＤ及び自装置の端末ＩＤの送信を、接触検出部４１０から行ってもよいし、送受信部４０６から行ってもよい。
【００５５】
接触ＩＤは、携帯端末４００−１が他の携帯端末と接触した場合に設定する接触を識別する固有の情報である。携帯端末４００−１は、設定した接触ＩＤを接触状態がなくなるまで、記憶部４０４に格納する。端末ＩＤは、携帯端末毎に設定される、端末を識別する固有の情報である。端末ＩＤとして、例えば、ＭＡＣアドレス（Media Access Control address）を使用することができる。端末ＩＤは、携帯端末と通信するための宛先として使用できるものとすることができる。なお、端末ＩＤは、各携帯端末を一意に特定できる情報であればよい。例えば、端末ＩＤとして、端末メーカが携帯端末に組み込んだ機体情報でもいいし、ユーザが他装置と異なるよう設定した識別情報であってもよい。
【００５６】
携帯端末４００−２は、携帯端末４００−１から接触ＩＤ及び自装置の端末ＩＤを受信すると、携帯端末４００−１に、自装置の端末ＩＤ、端末情報及び受信した接触ＩＤを送信する（ＳＱ１０１０）。携帯端末４００−２は、これらの送受信を、接触検出部４１０から行ってもよいし、送受信部４０６から行ってもよい。
【００５７】
端末情報は、自装置の表示部の構成（縦横の画素数、サイズ、色数、画素ピッチ等）、
接触している位置の情報を含みうる。各携帯端末は、自装置の端末情報を、記憶部４０４に格納することができる。また、各携帯端末は、他の携帯端末から受信した当該他の携帯端末の端末情報を、自装置の記憶部４０４に格納することができる。
【００５８】
画素ピッチとは、画面の１画素（１ドット）当たりの大きさ（１画素当たりの一辺の長さ）である。画素ピッチは、携帯端末毎に異なることがある。隣り合う画面で画素ピッチが異なると、隣り合う画面で画像がずれて表示される。そこで、マスターとして設定されている携帯端末が、接触している携帯端末の画素ピッチの情報を取得して、表示する画像の拡大又は縮小を適切に行うことで、隣り合う画面で画像がずれて表示されることを防ぐことができる。
【００５９】
携帯端末４００−１は、携帯端末４００−２から受信した情報を基に、携帯端末４００−２の表示部４１８で表示する画像の画像信号を表示信号生成部４１２で生成する（ＳＱ１０１２）。
【００６０】
携帯端末４００−１は、表示信号静止得部４１２で生成した画像信号を、表示信号送受信部４２０から携帯端末４００−２に送信する（ＳＱ１０１４）。
【００６１】
携帯端末４００−２は、携帯端末４００−１からの画像信号を表示信号送受信部４２０で受信する。携帯端末４００−２の表示信号送受信部４２０は、受信した表示信号を、表示信号切替部４１４に送信する。表示信号切替部４１４は、表示部４１８で表示する画面の表示信号を、表示信号生成部４１２が生成した信号から、表示信号送受信部４２０が受信した表示信号に切り替える。表示信号切替部４１４は、表示制御部４１６に送信する。表示制御部４１６は、受信した表示信号を、表示部４１８で表示する（ＳＱ１０１６）。これにより、携帯端末４００−１で生成された表示信号が、携帯端末４００−２の表示部４１８で表示される。
【００６２】
携帯端末４００−１は、携帯端末４００−２と接触している間（ＳＱ１０２０；ＹＥＳ）、携帯端末４００−２の表示部４１８で表示する画面の表示信号を生成し、携帯端末４００−２に送信する。携帯端末４００−２は、携帯端末４００−１と接触している間、携帯端末４００−１から受信した表示信号を、表示部４１８で表示する。
【００６３】
携帯端末４００−１は、接触検出部４１０で携帯端末４００−２との接触を確認できなくなった場合（ＳＱ１０２０；ＮＯ）、携帯端末４００−２の表示部４１８で表示する画面の表示信号の生成を行わない。
【００６４】
表示信号が携帯端末４００−１から送信されなくなった場合、携帯端末４００−２の表示信号切替部４１４は、表示部４１８で表示すべき表示信号を、表示信号生成部４１２が生成した信号に、切り替える。
【００６５】
携帯端末４００−１に、複数のスレーブとして設定されている携帯端末が接触した場合も、同様に動作させることができる。
【００６６】
（動作例２）
動作例２について説明する。動作例２は、動作例１との共通点を有する。ここでは、動作例１と共通点については、説明を省略することもある。
【００６７】
ここでは、携帯端末４００−１と携帯端末４００−２とを接触させ、さらに、携帯端末４００−２と携帯端末４００−３とを接触させる場合について説明する。携帯端末４００−１はマスターとして、携帯端末４００−２及び携帯端末４００−３はスレーブとして、
あらかじめ設定されているとする。ここで、マスターとして設定されている携帯端末は、スレーブとして設定されている他の携帯端末が、直接的又は間接的に、自装置と接触した場合に、当該他の携帯端末の表示部を自装置の表示部として使用する。また、スレーブとして設定されている携帯端末は、マスターとして設定されている他の携帯端末が、直接的又は間接的に、自装置と接触した場合に、自装置の表示部を、当該他の携帯端末の表示部として使用される。
【００６８】
〈動作シーケンス例〉
図８及び図９は、動作例２の動作シーケンス例を示す図である。図８の「Ａ」、「Ｃ」及び「Ｃ」は、それぞれ、図９の「Ａ」、「Ｃ」及び「Ｃ」と接続する。
【００６９】
図１０は、携帯端末（マスター）と携帯端末（スレーブ）の接触の例を示す図である。ここでは、図１０のように、携帯端末４００−１の表示部４１８の右側側面と、携帯端末４００−２の表示部４１８の左側側面とが、接触するとする。さらに、携帯端末４００−２の表示部４１８の右側側面と、携帯端末４００−３の表示部４１８の左側側面とが、接触するとする。携帯端末４００−１の表示部４１８、携帯端末４００−２の表示部４１８、及び、携帯端末４００−３の表示部４１８は、一連の表示部を形成する。
【００７０】
携帯端末４００−１と携帯端末４００−２とが接触すると（図８：ＳＱ２００２）、それぞれの携帯端末は、他の携帯端末と接触したことを検出する（ＳＱ２００４、ＳＱ２００６）。
【００７１】
携帯端末４００−１は、接触した携帯端末４００−２に、接触ＩＤ及び自装置の端末ＩＤを送信する（ＳＱ２００８）。携帯端末４００−１は、接触ＩＤ及び自装置の端末ＩＤの送信を、接触検出部４１０から行ってもよいし、送受信部４０６から行ってもよい。
【００７２】
接触ＩＤは、携帯端末４００−１が他の携帯端末と接触した場合に設定する接触を識別する固有の情報である。携帯端末４００−１は、設定した接触ＩＤを接触状態がなくなるまで、記憶部４０４に格納する。端末ＩＤは、携帯端末毎に設定される、端末を識別する固有の情報である。端末ＩＤとして、例えば、ＭＡＣアドレス（Media Access Control address）を使用することができる。端末ＩＤは、携帯端末と通信するための宛先として使用できるものとすることができる。
【００７３】
携帯端末４００−２は、携帯端末４００−１から接触ＩＤ及び携帯端末４００−１の端末ＩＤを受信すると、携帯端末４００−１に、自装置の端末ＩＤ、端末情報及び受信した接触ＩＤを送信する（ＳＱ２０１０）。携帯端末４００−２は、これらの送受信を、接触検出部４１０から行ってもよいし、送受信部４０６から行ってもよい。
【００７４】
端末情報は、自装置の表示部の構成（縦横の画素数、サイズ、色数、画素ピッチ等）、接触している位置の情報を含みうる。各携帯端末は、自装置の端末情報を、記憶部４０４に格納することができる。
【００７５】
ここで、携帯端末４００−２と携帯端末４００−３とが、さらに、接触すると（ＳＱ２１０２）、それぞれの携帯端末は、他の携帯端末と接触したことを検出する（ＳＱ２１０４、ＳＱ２１０６）。
【００７６】
既に、マスターとして設定されている携帯端末４００−１と通信をしている携帯端末４００−２は、他の携帯端末（携帯端末４００−３）と接触したことを、携帯端末４００−１に通知する（ＳＱ２１０７）。この通知には、携帯端末４００−３と接触した位置の情報を含むことができる。
【００７７】
携帯端末４００−１は、他の携帯端末との接触を通知してきた携帯端末４００−２に、当該接触を示す接触ＩＤ及び自装置の端末ＩＤを送信する（ＳＱ２１０８）。携帯端末４００−２は、携帯端末４００−３に、携帯端末４００−１から送信された接触ＩＤ及び携帯端末４００−１の端末ＩＤを、送信する。
【００７８】
携帯端末４００−２は、携帯端末４００−１から携帯端末４００−２を経由して送信された接触ＩＤ及び携帯端末４００−１の端末ＩＤを受信すると、携帯端末４００−１に、自装置の端末ＩＤ、端末情報及び受信した接触ＩＤを送信する（ＳＱ２１１０）。携帯端末４００−３は、これらの送受信を、接触検出部４１０から行ってもよいし、送受信部４０６から行ってもよい。
【００７９】
携帯端末４００−１は、携帯端末４００−２から受信した情報を基に、携帯端末４００−２の表示部４１８で表示する画像の画像信号を表示信号生成部４１２で生成する。また、携帯端末４００−１は、携帯端末４００−２及び携帯端末４００−３から受信した情報を基に、携帯端末４００−３の表示部４１８で表示する画像の画像信号を表示信号生成部４１２で生成する（図９：ＳＱ２２１２）。
【００８０】
携帯端末４００−１は、表示信号静止得部４１２で生成した画像信号を、表示信号送受信部４２０から携帯端末４００−２及び携帯端末４００−３に送信する（ＳＱ２２１４、ＳＱ２２１５）。
【００８１】
携帯端末４００−２は、携帯端末４００−１からの画像信号を表示信号送受信部４２０で受信する。携帯端末４００−２の表示信号送受信部４２０は、受信した表示信号を、表示信号切替部４１４に送信する。表示信号切替部４１４は、表示部４１８で表示する画面の表示信号を、表示信号生成部４１２が生成した信号から、表示信号送受信部４２０が受信した表示信号に切り替える。表示信号切替部４１４は、表示制御部４１６に送信する。表示制御部４１６は、受信した表示信号を、表示部４１８で表示する（ＳＱ２２１６）。これにより、携帯端末４００−１で生成された表示信号が、携帯端末４００−２の表示部４１８で表示される。
【００８２】
また、同様に、携帯端末４００−３は、携帯端末４００−１で生成された表示信号を、表示部４１８で表示する（ＳＱ２２１７）。
【００８３】
携帯端末４００−１は、携帯端末４００−２に、携帯端末４００−３と、依然、接触しているか否かを問い合わせる（ＳＱ２２１８）。携帯端末４００−２は、携帯端末４００−１に、携帯端末４００−３と接触しているか否かを応答する。
【００８４】
携帯端末４００−１は、表示信号を送信している携帯端末と接触しているか否かを確認する。携帯端末４００−１は、他の携帯端末と接触している間（ＳＱ２２２０；ＹＥＳ）、他の携帯端末の表示部４１８で表示する画面の表示信号を生成し、当該他の携帯端末に送信する。当該他の携帯端末は、携帯端末４００−１と、直接的又は間接的に、接触している間、携帯端末４００−１から受信した表示信号を、表示部４１８で表示する。
【００８５】
また、携帯端末４００−１は、一部の携帯端末との接触を確認できない場合、当該接触を確認できない携帯端末で表示する画面の表示信号の生成を行わない。
【００８６】
携帯端末４００−１は、すべての他の携帯端末との接触を確認できなくなった場合（ＳＱ２２２０；ＮＯ）、他の携帯端末の表示部４１８で表示する画面の表示信号の生成を行わない。
【００８７】
表示信号が携帯端末４００−１から送信されなくなった場合、スレーブとして設定されている携帯端末の表示信号切替部４１４は、表示部４１８で表示すべき表示信号を、表示信号生成部４１２が生成した信号に、切り替える。
【００８８】
（表示例）
図１１は、複数の携帯端末が接触した場合の表示例を示す図である。図１１の例では、図１０の例と同様に、携帯端末４００−１の表示部４１８、携帯端末４００−２の表示部４１８、及び、携帯端末４００−３の表示部４１８が、一連の表示部を形成する。
【００８９】
図１１のように、１つの画像を表示する際、画像が分割されて、各携帯端末の表示部４１８に表示され得る。各携帯端末の表示部４１８にフレームのないディスプレイを使用することで、複数の携帯端末の表示部４１８を、１つのディスプレイのように使用することが可能となる。
【００９０】
また、携帯端末４００−１は、マスターとして設定されている携帯端末４００−１の記憶部４０４に格納するファイルを、接触しているスレーブとして設定されている携帯端末４００−２及び４００−３に送信することができる。逆に、携帯端末４００−２又は４００−３は、スレーブとして設定されている携帯端末４００−２又は４００−３の記憶部４０４に格納するファイルを、接触しているマスターとして設定されている携帯端末４００−１に送信することができる。さらに、携帯端末４００−２又は４００−３は、スレーブとして設定されている携帯端末４００−２又は４００−３の記憶部４０４に格納するファイルを、他のスレーブとして設定されている携帯端末４００−３又は４００−２に送信することができる。各携帯端末は、他の携帯端末へのファイル送信を、接触を契機として自動的に行ってもよいし、任意のタイミングで行うようにしてもよい。各携帯端末は、他の携帯端末に送信するファイルをあらかじめ指定しておくことも、接触状態の差異に任意に選択することもできる。
【００９１】
携帯端末４００−１は、各携帯端末の表示部４１８に表示している１つの画像の画像ファイルを、接触している各携帯端末に送信することができる。
【００９２】
図１２は、接触状態が解除された後の携帯端末の表示例を示す図である。
【００９３】
図１２の例は、図１１のように、１つの画面が３つの携帯端末に表示された後、接触状態が解除された場合の例を示す図である。図１２の例では、各携帯端末の表示部には、各携帯端末が互いに接触していたときに各携帯端末が協働して図１１のように各表示部に表示していた画像が、それぞれの表示部に表示されている。
【００９４】
携帯端末４００−２及び４００−３が携帯端末４００−１と接触しているときに、携帯端末４００−２及び４００−３が、各携帯端末の表示部に表示している画像の画像ファイルを、携帯端末４００−１から受信していたとする。このとき、各携帯端末は、接触していたときに表示していた画像を、接触状態が解除された後も、それぞれの表示部４１８で表示することができる。
【００９５】
（実施形態の作用効果）
本実施形態によると、携帯端末に他の携帯端末を接触させることで、他の携帯端末の表示部を拡張した自装置の表示部のように使用することができる。
【００９６】
本実施形態によると、複数の携帯端末の表示部を接触させることで、他の携帯端末に容易にファイルを送信することができる。
【００９７】
本実施形態によれば、複数の携帯端末の表示部を接触させることで、連続した１つの大きな表示領域を形成することができる。また、フレームのない表示部を接触させて使用することで、実質的に１つの表示部を使用しているかの如く、使用することができる。
【図面の簡単な説明】
【００９８】
【図１】図１は、システム構成例を示す図である。
【図２】図２は、携帯端末の構成例を示す図である。
【図３】図３は、携帯端末における接触検出部の構成例を示す図である。
【図４】図４は、携帯端末の接触検出部におけるマグネットの配置の例を示す図である。
【図５】図５は、複数の携帯端末が接触した例を示す図である。
【図６】図６は、動作例１の動作シーケンスの例を示す図である。
【図７】図７は、携帯端末（マスター）と携帯端末（スレーブ）の接触の例を示す図である。
【図８】図８は、動作例２の動作シーケンス例（１）を示す図である。
【図９】図９は、動作例２の動作シーケンス例（２）を示す図である。
【図１０】図１０は、携帯端末（マスター）と携帯端末（スレーブ）の接触の例を示す図である。
【図１１】図１１は、複数の携帯端末が接触した場合の表示例を示す図である。
【図１２】図１２は、接触状態が解除された後の携帯端末の表示例を示す図である。
【符号の説明】
【００９９】
１００          ネットワーク
２００          マスター
３００          無線基地局
４００          携帯端末
４００−ｎ      携帯端末（ｎは自然数）
４０２            ＣＰＵ
４０４            記憶部
４０６            送受信部
４０８            アンテナ
４１０            接触検出部
４１２            画像信号生成部
４１４            表示信号切替部
４１６            表示制御部
４１８            表示部
４２０            表示信号送受信部
【図１】
2010085853.tif 000003
【図２】
2010085853.tif 000004
【図３】
2010085853.tif 000005
【図４】
2010085853.tif 000006
【図５】
2010085853.tif 000007
【図６】
2010085853.tif 000008
【図７】
2010085853.tif 000009
【図８】
2010085853.tif 000010
【図９】
2010085853.tif 000011
【図１０】
2010085853.tif 000012
【図１１】
2010085853.tif 000013
【図１２】
2010085853.tif 000014